(57)【要約】【課題】パズル難度を下げてもパズルの趣味性は失くさず、同時に簡単でスピーディにパズルを完成する立体パズル構造を提供する。【解決手段】立体パズル構造は、複数のパズル片を合わせて一立体物品に形成する。この立体物品の表面には二個もしくは二個以上の図案ブロックを具え、そのうちこれらのパズル片は、二個もしくは二個以上の形式を具える。単一図案ブロックは一種の形式が同じのパズル片を合わせ、別の一図案ブロックは別一種の形式が同じのパズル片を合わせる。【選択図】図２
0003142530.tif 000002
【実用新案登録請求の範囲】
【請求項１】
複数のパズル片を組み合わせて構成する一立体物品で、その立体物品は二個もしくは二個以上の図案ブロックを具える立体パズル構造において、これらのパズル片は二個もしくは二個以上の形式を具え、単一図案ブロックは一種の形式が同じパズル片を組み合わせて構成し、別一図案ブロックは別一種の形式が同じパズル片を組み合わせて構成することを特徴とする、立体パズル構造。
【請求項２】
前記これらのパズル片は、異なる大きさ及び/もしくは異なる形状の形式を具えることを特徴とする、請求項１記載の立体パズル構造。
【請求項３】
複数のパズル片を組み合わせて構成する一立体物品で、その立体物品は一個以上的図案ブロックを具える立体パズル構造において、これらのパズル片は、二個もしくは二個以上の形式を具え、単一図案ブロックはこれら異なる形式のパズル片を組み合わせて一パズル片グループを構成し、別の一図案ブロックも同様に複数の異なる形式のパズル片を組み合わせて一パズル片グループを構成することを特徴とする、請求項１記載の立体パズル構造。
【請求項４】
前記立体物品は、中空であることを特徴とする、請求項１もしくは３記載の立体パズル構造。
【請求項５】
前記各パズル片の周辺縁には凸起部及び凹槽を成形し、各パズル片はこれら凸起部及び凹槽を相互に嵌合することを特徴とする、請求項１もしくは３記載の立体パズル構造。
【考案の詳細な説明】
【技術分野】
【０００１】
本考案は、立体パズルに関するもので、特に簡単且つスピーディに組み立てられる立体パズル構造に係る。
【背景技術】
【０００２】
パズルは、年齢を問わずに楽しめる娯楽である。ほとんどの人はパズルで遊んだ経験を持つが、それは一般の平面式パズルで一特定の図案を複数個のパズル片に裁断し、使用者はその図案に基づき、位置関係及びパズル片周辺の凹凸ほぞを元に繋ぎ合わせて完成する。しかしながら、この種の平面式パズルの面白さやチャレンジ性は低い。
【０００３】
そのため、市場では一種の一立体形状の立体パズルが出ている。これは使用者の更なるチャレンジ性を高め、且つ完成後は達成感がある。図１に示すのは一般の立体パズルの構造指示図である。これは一片片のやや円弧形状で単一形式のパズル片８を図案の位置関係及びパズル片８周辺の凹凸ほぞ８１に基づき、徐々に組み合わせて一球状物９にする。
【考案の開示】
【考案が解決しようとする課題】
【０００４】
解決しようとする問題点は、この種の立体パズルはチャレンジ性が高いものの、パズル片８形状や大きさがすべて同じであるため、位置関係がはっきりとしないため、子供もしくは初心者にとっては難度が高く、使用者は組み合わせる過程で困難を感じ、止めてしまう点である。
【課題を解決するための手段】
【０００５】
本考案は、複数のパズル片を合わせて一立体物品に形成する。この立体物品の表面には二個もしくは二個以上の図案ブロックを具え、そのうちこれらのパズル片は、二個もしくは二個以上の形式を具える。単一図案ブロックは一種の形式が同じのパズル片を合わせ、別の一図案ブロックは別一種の形式が同じのパズル片を合わせる。例として異なる形状もしくは異なる大きさのパズル片形式の場合、使用者はこれらのパズル片が異なる形式であるため、目でどのパズル片がどの一図案ブロックに属するか分け、ブロックごとにパズル片を組み合わせる。そのため、パズル難度は下がるが、パズルの面白さは下がらず、簡単でスピーディにパズル片を合わせて一完全な立体物品を完成することを最も主要な特徴とする。
【考案の効果】
【０００６】
本考案の立体パズル構造は、パズル難度を下げてもパズルの趣味性は失くさず、同時に簡単でスピーディにパズルを完成するという利点がある。
【考案を実施するための最良の形態】
【０００７】
本考案は、一種の簡単、スピーディに組み合わせる立体パズル構造を提供する。
【０００８】
本考案の立体パズル構造は、複数のパズル片を組み合わせて一立体物品を構成する。この立体物品の表面には二個もしくは二個以上の図案ブロックを具える。そのうち、これらのパズル片は二個もしくは二個以上の形式を具え、単一図案ブロックは一種の形式が同じパズル片を組み合わせて構成し、別の一図案ブロックは、別の一種の形式が同じパズル片を組み合わせて構成する。例として異なる形状もしくは異なる大きさのパズル片形式で、使用者はこれらのパズル片の異なる形式により、目でどのパズル片がどの一図案ブロックに属するのかを分ける。ブロックごとにパズル片を組み合わせる方式により、パズル難度を下げながら、それでもパズルの趣味性を失わず、更に簡単でスピーディに組み合わせて一完全な立体物品を完成する。
【実施例１】
【０００９】
本考案の「立体パズル構造」において、図２に示すのは立体パズル構造の第一実施例である。複数のパズル片１を合わせて空心の立体物品２にする。この立体物品２の表面には二個もしくは二個以上のプリント図柄もしくは立体曲面等図案ブロック２１を具え、更に図に示す実施例ではカラープリントによる各種図案があり、およそ三個の図案ブロック２１に分けられる。そのうち、立体物品２下半部は二人の人物を描いた第一図案ブロック２２、上半部は雲、太陽及び飛ぶ鳥を描いた第二図案ブロック２３に分布される。また第一図案ブロック２２と第二図案ロック２３の間には更に背景図案を描いた第三図案ブロック２４がある。
【００１０】
これらのパズル片１は異なる立体形状に裁断したもので、本実施例の立体物品２は一球体とする。パズル片１は円弧形の立体形状で、且つ各一片パズル片１の周辺縁はすべてに相互に嵌合する結合部１１を設置し、その結合部１１は凸起部１１１もしくは凹槽１１２とし、各パズル片１は凸起部１１１及び凹槽１１２でしっかりと嵌合する効果を得る。
【００１１】
本案の重要な点として、これらのパズル片１は二個もしくは二個以上の形式を具える。単一図案ブロック２１は、一種の形式が同じパズル片１を組み合わせる。また別の一図案ブロック２１は別一種の形式が同じパズル片１によって組み合わせる。例としてパズル片は形状が同じで大きさが異なる形式でもよく、またもしくは大きさが同じで形状異なる形式でもよく、更に形状及び大きさがすべて異なる形式でもよい。使用者はこれらのパズル片１の異なる形式によって、目でどのパズル片１がどの一図案ブロック２１に分けるかを確認するので、簡単でスピーディにこれらのパズル片１を組み合わせ、一完全な立体物品２を組み合わせる。
【００１２】
実際に実施する場合、図２の実施例に示すとおり、これらの図案ブロック２１のパズル片１は、形状及び大きさがすべて異なる形式とする。例として第一図案ブロック２２は三辺形の第一パズル片Ａで、第二図案ブロック２３は六辺形の第二パズル片Ｂ、また第三図案ブロック２４は四辺形の第三パズル片Ｃであり、更に第三パズル片Ｃの面積は第一パズル片Ａ面積的三分の一で、第一パズル片Ａの面積は第二パズル片Ｂ面積の二分の一である。故に第二パズル片Ｂは第一パズル片Ａより大きく、第一パズル片Ａは第三パズル片Ｃより大きい。使用者はパズルを始める前に先ず各パズル片１を取り出し、形状及び大きさによって分類する。その後予め分類した第一パズル片Ａ、第二パズル片Ｂ及び第三パズル片Ｃにより、第一パズル片Ａを立体物品２下半部の二人の人物の第一図案ブロック２２で組み合わせ、次に第三パズル片Ｃを上向きに背景図案の第三図案ブロック２４に組み合わせ、最後に第二パズル片Ｂで上半部の雲、太陽及び飛ぶ鳥の第二図案ブロック２３を完成すると、立体物品２全体の組み合わせ作業が完成する。
【実施例２】
【００１３】
図３に示すとおり、本実施例は立体物品２が一ネズミの外型で、およそ三個の図案ブロック２１に分けられる。立体物品２下半部は身体図案ブロック２５で、身体図案ブロック２５最上部は頭部図案ブロック２６で、他に頭部図案ブロック２６の両側は耳図案ブロック２７である。各自由な四辺形、六辺形及び三辺型のパズル片１を合わせるので同じくブロックを分けて簡単、スピーディにパズル片を繋ぎ合わせる。
【実施例３】
【００１４】
この他，図４に示すのは、本考案の別の実施例で、この実施例に於いて、立体物品２は同様に一個以上の図案ブロック２１を具える。これらのパズル片１は二個もしくは二個以上の形式を具え、単一図案ブロック２１はこれら異なる形式のパズル片１を組み合わせて一パズル片グループ１２を構成する。別の一図案ブロック２１は、同様にこれら異なる形式のパズル片１を組み合わせてパズル片グループ１２を構成する。使用者は先ず各図案ブロック２１のパズル片グループ１２をそれぞれ組み合わせて完成させる。次に各パズル片グループ１２の図案の接続関係及び各パズル片１周辺縁結合部１１の位置関係に基づき、簡単且つスピーディに立体物品２を組み合わせて完成する。
【００１５】
上述に示すとおり、本考案は立体パズル構造を提供する。それはブロックを利用して組み合わせる方式で、パズル難度を下げてもパズルの趣味性は失くさない。同時に簡単でスピーディにパズルを完成することを目的として実用新案登録を申請する。但し、以上の実施説明及び図式に示すのは、本考案の良好な実施例の一つにすぎず、本考案を制限するものではない。依って本考案の構造、装置、特徴等と近似、雷同するものは、すべて本考案の目的及び申請範囲に属する。
【図面の簡単な説明】
【００１６】
【図１】公知の立体パズルの構造指示図
【図２】本考案の立体パズル第一実施例の構造指示図
【図３】本考案の立体パズル第二実施例の構造指示図
【図４】本考案の立体パズル第三実施例の構造指示図
【符号の説明】
【００１７】
Ａ        第一パズル片
Ｂ        第二パズル片
Ｃ        第三パズル片
１        パズル片
１１      結合部
１１１    凸起部
１１２    槽
１２      パズル片グループ
２        立体物品
２１      図案ブロック
２２      第一図案ブロック
２３      第二図案ブロック
２４      第三図案ブロック
２５      身体図案ブロック
２６      頭部図案ブロック
２７      耳図案ブロック
８        パズル片
８１      凹凸ほぞ
９        球状物
【図１】
0003142530.tif 000003
【図２】
0003142530.tif 000004
【図３】
0003142530.tif 000005
【図４】
0003142530.tif 000006
【手続補正書】
【提出日】平成20年4月11日(2008.4.11)
【手続補正１】
【補正対象書類名】実用新案登録請求の範囲
【補正対象項目名】請求項３
【補正方法】変更
【補正の内容】
【請求項３】
複数のパズル片を組み合わせて構成する一立体物品で、その立体物品は一個以上の図案ブロックを具える立体パズル構造において、これらのパズル片は、二個もしくは二個以上の形式を具え、単一図案ブロックはこれら異なる形式のパズル片を組み合わせて一パズル片グループを構成し、別の一図案ブロックも同様に複数の異なる形式のパズル片を組み合わせて一パズル片グループを構成することを特徴とする立体パズル構造。